(57)【要約】      （修正有）【課題】排水管からの溢水を抑制することができる溢水抑制具と、排水管からの溢水が抑制された排水管構造とを提供する。【解決手段】溢水抑制具１Ａは、排水管と通気弁との間に配置され、排水管に接続可能な下部端部１１と通気弁に接続可能な上部端部１２とを備えた筒状の周壁１０と、周壁１０の内部を下部端部１１の側で周壁１０の周方向に沿って環状に遮蔽している遮蔽部２０と、遮蔽部２０の内周側に形成された開口部Ａ２を周壁１０の内部の上部側で間隔を置いて遮蔽している中間遮蔽部３０と、周壁１０の内部を上部端部１２の側で環状に遮蔽している遮蔽部４０、とを備える。【選択図】図５
2020060016.tif 000002
【特許請求の範囲】
【請求項１】
排水管に接続可能な筒状の周壁と、
前記周壁の内部を、当該周壁の周方向に沿って遮蔽している遮蔽部と、
を備える、溢水抑制具。
【請求項２】
前記遮蔽部は、前記周壁の内部を、環状に遮蔽している、環状の遮蔽部であり、前記遮蔽部の内周側に形成された開口部を、前記周壁の内部の上部側で間隔を置いて遮蔽している、他の遮蔽部と、
前記他の遮蔽部の周りに他の開口部を形成するように、前記他の遮蔽部を前記周壁に固定する固定片と、
を備える、請求項１に記載の、溢水抑制具。
【請求項３】
前記溢水抑制具を、当該溢水抑制具の中心軸の延在方向から視たとき、前記周壁の内部構造が前記軸を中心に対称な構造である、請求項１又は２に記載の、溢水抑制具。
【請求項４】
前記遮蔽部は、前記溢水抑制具の中心軸に向かうに従って下部側に向かう湾曲形状部を有している、請求項１乃至３のいずれか１項に記載の、溢水抑制具。
【請求項５】
前記他の遮蔽部は、前記溢水抑制具の中心軸に向かうに従って上部側に凸の湾曲形状部を有している、請求項２に記載の、溢水抑制具。
【請求項６】
前記遮蔽部と、前記他の遮蔽部とが、下部側から上部側に向かって交互に、合計で３つ以上繰り返し配列されている、請求項２に記載の、溢水抑制具。
【請求項７】
排水管と、
通気弁と、
前記排水管と、前記通気弁との間に配置された筒状の周壁と、
前記周壁の内部を、当該周壁の周方向に沿って遮蔽している遮蔽部と、
前記遮蔽部に形成された開口部を、前記周壁の内部の上部側で間隔を置いて遮蔽している、他の遮蔽部と、
前記他の遮蔽部の周りに他の開口部を形成するように、前記他の遮蔽部を前記周壁に固定する固定片と、
を備える、排水管構造。
【発明の詳細な説明】
【技術分野】
【０００１】
本発明は、溢水抑制具及び排水管構造に関する。
【背景技術】
【０００２】
従来の排水管構造としては、排水トラップの通気口に通気弁を螺合させたサイホン排水システムがある（例えば、特許文献１参照。）。前記通気弁は、逆止弁を備えている。従って、特許文献１に記載のサイホン排水システムによれば、前記排水管の内部に負圧が発生したときは前記逆止弁が開くことで当該排水管内に空気を流入させる。これにより、前記排水管内に過度に負圧が生じることを防止することができる。その一方、前記排水管の内部に正圧が発生したときは前記逆止弁が閉じることで当該排水管内から空気又は排水等が外部に流出することを防止することができる。
【先行技術文献】
【特許文献】
【０００３】
【特許文献１】特開２０１５−９８７０２号公報
【発明の概要】
【発明が解決しようとする課題】
【０００４】
しかしながら、こうした従来の排水管構造であっても、前記排水管に多量の排水が流れた場合、当該排水が前記通気弁を通して溢れることがあった。
【０００５】
本発明の目的は、排水管からの溢水を抑制することができる溢水抑制具、及び、排水管からの溢水が抑制された排水管構造を、提供することである。
【課題を解決するための手段】
【０００６】
本発明に係る、溢水抑制具は、排水管に接続可能な筒状の周壁と、前記周壁の内部を、当該周壁の周方向に沿って遮蔽している遮蔽部と、を備える。本発明に係る、溢水抑制具によれば、排水管からの溢水を抑制することができる。
【０００７】
本発明に係る、溢水抑制具では、前記遮蔽部は、前記周壁の内部を環状に遮蔽している、環状の遮蔽部であり、前記遮蔽部の内周側に形成された開口部を、前記周壁の内部の上部側で間隔を置いて遮蔽している、他の遮蔽部と、前記他の遮蔽部の周りに他の開口部を形成するように、前記他の遮蔽部を前記周壁に固定する固定片と、を備えることが好ましい。この場合、排水管からの溢水を更に抑制することができる。
【０００８】
本発明に係る、溢水抑制具は、前記溢水抑制具を、当該溢水抑制具の中心軸の延在方向から視たとき、前記周壁の内部構造が前記軸を中心に対称な構造であることが好ましい。この場合、簡易な作業で接続可能な溢水抑制具となる。
【０００９】
本発明に係る、溢水抑制具では、前記遮蔽部は、前記溢水抑制具の中心軸に向かうに従って下部側に向かう湾曲形状部を有していることが好ましい。この場合、排水管からの溢水を更に抑制することができる。
【００１０】
本発明に係る、溢水抑制具では、前記他の遮蔽部は、前記溢水抑制具の中心軸に向かうに従って上部側に凸の湾曲形状部を有していることが好ましい。この場合、排水管からの溢水を更に抑制することができる。
【００１１】
本発明に係る、溢水抑制具では、前記遮蔽部と、前記他の遮蔽部とが、下部側から上部側に向かって交互に、合計で３つ以上繰り返し配列されていることが好ましい。この場合、排水管からの溢水を更に抑制することができる。
【００１２】
本発明に係る、排水管構造は、排水管と、通気弁と、前記排水管と前記通気弁との間に配置された筒状の周壁と、前記周壁の内部を、当該周壁の周方向に沿って遮蔽している遮蔽部と、前記遮蔽部に形成された開口部を、前記周壁の内部の上部側で間隔を置いて遮蔽している、他の遮蔽部と、前記他の遮蔽部の周りに他の開口部を形成するように、前記他の遮蔽部を前記周壁に固定する固定片と、を備える。本発明に係る、排水管構造によれば、排水管からの溢水が抑制された排水管構造となる。
【発明の効果】
【００１３】
本発明によれば、排水管からの溢水を抑制することができる溢水抑制具、及び、排水管からの溢水が抑制された排水管構造を、提供することができる。
【図面の簡単な説明】
【００１４】
【図１】本発明の第１実施形態に係る溢水抑制具を適用可能な、サイホン排水システムを概略的に示すシステム図である。
【図２】本発明の第１実施形態に係る溢水抑制具を示す側面図である。
【図３】図２の溢水抑制具を示す底面図である。
【図４】図２の溢水抑制具を示す平面図である。
【図５】図２のＡ−Ａ断面図である。
【図６】図２の溢水抑制具を構成する周壁を、図２のＡ−Ａ断面相当で示す断面図である。
【図７】図６の周壁を示す底面図である。
【図８】図６の周壁を示す平面図である。
【図９】本発明の第２実施形態に係る溢水抑制具を示す斜視側面図である。
【図１０】図９の溢水抑制具を、図２のＡ−Ａ断面相当で示す斜視断面図である。
【発明を実施するための形態】
【００１５】
以下、図面を参照して、本発明の一実施形態に係る、溢水抑制具及び排水管構造について説明をする。なお、以下の説明において、「上流」及び「下流」とは、排水・空気等の流体の流れを規定し、「上部」及び「下部」とは、高さを規定する。また、「周方向」とは、溢水抑制具の中心軸Ｏ１の周りの方向をいう。
【００１６】
図１中、符号１００は、本発明の第１実施形態に係る、通気弁接続具１Ａを適用可能な、サイホン排水システムである。図１に例示するサイホン排水システム１００は、水回り機器１１０、接続管１２０、トラップ１３０、通気弁１４０、直管１５０、横引き管１６０、竪管１７０、および、合流継手１８０を介して接続される立て管１９０により構成されている。図１のサイホン排水システム１００では、排水管は、接続管１２０、トラップ１３０、直管１５０、横引き管１６０、竪管１７０で構成されている。図１に示す例での水回り機器１１０は、台所流しである。また、水回り機器１１０の排水口にはディスポーザー１１１が設けられている。なお、水回り機器１１０は、排水を行うものであれば特に種類は限定されない。水回り機器１１０は、食洗機、洗面台、洗濯機、ユニットバス等の風呂に備えられる浴槽及び洗い場、トイレ等とすることができる。
【００１７】
具体的には、住居内において、水回り機器１１０は、床パネル２１０上に配置されている。この例では、水回り機器１１０には、接続管１２０を介してトラップ１３０が接続されている。この例では、トラップ１３０は、Ｓ字の排水トラップである。トラップ１３０は、流路が上流側から下流側に向かって下降する第１下降部１３１と、流路が上流側から下流側に向かって上向きに折り返す第１折り返し部１３２と、流路が下流側から上流側に向かって上昇する上昇部１３３と、流路が上流側から下流側に向かって下向きに折り返す第２折り返し部１３４と、流路が上流側から下流側に向かって下降する第２下降部１３５と、を有している。この例では、第１下降部１３１、第１折り返し部１３２、上昇部１３３、第２折り返し部１３４及び第２下降部１３５は、一体に形成されている。また、この例では、第２下降部１３５は、直管１５０と一体に形成されている。
【００１８】
直管１５０は、流路が上流側から下流側に向かって下降し、床パネル２１０下で床スラブ２２０付近まで排水を導く。横引き管１６０は、直管１５０の下流側に接続され、水平方向に延びている。また、横引き管１６０は、従来の勾配排水に用いられている配管よりも細い管からなり、また略水平（略無勾配）に設置されている。竪管１７０は、横引き管１６０の下流側に接続され、流路が上流側から下流側に向かって下降している。また、この例では、竪管１７０は、床スラブ２２０の配管用穴２３０を貫通している。更に、この例では、竪管１７０は、立て管１９０の下流側に合流継手１８０を介して接続されている。
【００１９】
立て管１９０は、横引き管１６０及び竪管１７０よりも大径の管体であって、建築物を上下に貫通して設けられている。立て管１９０は、水回り機器１１０からの排水流路と接続されているが、図示しない他の水回り機器からの排水流路とも接続され、下流側において図示しない浄化槽と接続している。
【００２０】
図１のサイホン排水システム１００は、後述する、本実施形態に係る、排水管構造Ａと、サイホン排水管２００とを有している。サイホン排水管２００は、少なくとも、トラップ１３０の第１折り返し部１３２の貯留部１３２ａの下流側に設けられた配管である。図１の例では、サイホン排水管２００は、接続管１２０、トラップ１３０、直管１５０、横引き管１６０及び竪管１７０により構成されている。このようなサイホン排水システム１００では、満水になった状態で、当該排水が横引き管１６０から竪管１７０に流出し、当該排水を下方へ流下させることによりサイホン力を発生させることができる。発生したサイホン力により引っ張られることで横引き管１６０の排水が行われる。
【００２１】
図１に示すように、この例では、トラップ１３０において、第１折り返し部１３２は、排水が溜まり得る貯留部１３２ａを備えたトラップを形成している。トラップ１３０のようなＳ字の排水トラップでは、通常、第１折り返し部１３２の貯留部１３２ａにおいて封水が十分に溜まった状態になっている。即ち、第１折り返し部１３２の貯留部１３２ａでは、上流側と下流側との空間（流路）が封水を介して遮断されている。これにより、例えば、トラップ１３０の下流側からの臭気や害虫等の侵入を防ぐことができる。
【００２２】
また、図１のサイホン排水システム１００では、通気弁１４０は、逆止弁であって、トラップ１３０の貯留部１３２ａの下流側に設けられている。この例では、通気弁１４０は、後述する、本実施形態に係る通気弁接続具１Ａを介して、第２折り返し部１３４の上部に接続されている。これにより、図１のサイホン排水システム１００では、サイホン排水管２００の内部にサイホン力（負圧）が生じたときは、通気弁１４０が開くことで、空気が通気弁１４０を通じてトラップ１３０に取り入れられる。これにより、サイホン排水管２００の内部に大きな負圧が生じても、通気弁１４０から空気を取り込むことができるので、第１折り返し部１３２の貯留部１３２ａにおける封水が下流側（ここでは、上昇部１３３側）へ引き込まれていくことがない。従って、通気弁１４０を設ければ、封水切れ（破封）が生じることを防ぐことができる（封水状態を維持することができる）。その一方、サイホン排水管２００、ひいては、通気弁１４０が負圧になっていないときは、当該通気弁１４０を通して通気が行われないので、当該サイホン排水管２００内から空気又は排水等が外部に流出することを防止することができる。
【００２３】
しかしながら、この例のように、通気弁１４０をサイホン排水管２００に設けても、当該通気弁１４０をトラップ１３０の上部に対して直結させた場合には、多量の排水が流れると、当該排水が通気弁１４０に入り込むことがあった。特に、排水に勢いがある場合、当該排水が通気弁１４０から溢れることがあった。
【００２４】
そこで、図１のサイホン排水システム１００では、サイホン排水管２００と、通気弁１４０とが、本実施形態に係る溢水抑制具１Ａを介して接続されている。
【００２５】
図２は、本実施形態に係る溢水抑制具１Ａの側面図である。また、図３は、溢水抑制具１Ａの底面図である。更に、図４は、溢水抑制具１Ａの平面図である。図２〜図４に示すように、本実施形態に係る溢水抑制具１Ａは、円筒状の接続具である。図中、符号Ｏ１は、溢水抑制具１Ａの中心軸である。
【００２６】
更に、図５は、溢水抑制具１Ａの断面図である。図５に示すように、溢水抑制具１Ａは、排水管に接続可能な筒状の周壁１０を備えている。本実施形態に係る溢水抑制具１Ａは、トラップ１３０に接続可能な下部端部１１と、通気弁１４０に接続可能な上部端部１２とを備えた筒状の周壁１０を備えている。周壁１０は、本実施形態のように、円筒形であることが好ましい。但し、周壁１０は、中空の壁であれば、断面形状は円形（環状形）に限定されることなく、例えば、多角形等、様々な断面形状とすることができる。
【００２７】
図５に示すように、本実施形態に係る溢水抑制具１Ａでは、下部端部１１は、周壁１０の内周面の一部として形作られた「めねじ」を有している。また、本実施形態では、上部端部１２は、周壁１０の外周面の一部として形作られた「おねじ」を有している。詳細には、周壁１０は、大径部１０ａと、当該大径部１０ａに繋がる小径部１０ｂとを備えている。本実施形態では、下部端部１１は、周壁１０の大径部１０ａの一部として形作られている。また、本実施形態では、上部端部１２は、周壁１０の小径部１０ｂの一部として形作られている。本実施形態では、周壁１０の中心軸Ｏ１０は、通気弁接続具１Ａの中心軸Ｏ１と同軸上に配置されている。
【００２８】
更に、溢水抑制具１Ａは、周壁１０の内部を、当該周壁１０の周方向に沿って遮蔽している、遮蔽部２０を備えている。遮蔽部２０は、周壁１０の内部の、下部端部１１の側に位置している。本実施形態に係る溢水抑制具１Ａでは、遮蔽部２０は、周壁１０の内部を、環状に遮蔽している。
【００２９】
本実施形態に係る溢水抑制具１Ａでは、環状の遮蔽部（以下、単に「環状遮蔽部」ともいう。）２０は、溢水抑制具１Ａをトラップ１３０に接続したとき、当該トラップ１３０からの排水等が周壁１０の内部に導入されることを阻止する遮蔽部として機能する。遮蔽部２０に形成された開口部Ａ２は、溢水抑制具１Ａをトラップ１３０に接続したとき、当該トラップ１３０からの空気を排出するための通路として機能する。
【００３０】
本実施形態に係る溢水抑制具１Ａでは、遮蔽部２０は、周壁１０と別の部材として構成されている。本実施形態では、遮蔽部２０は、周壁１０の大径部１０ａの内周面に固定されている。また、本実施形態では、遮蔽部２０の中心軸Ｏ２０も、溢水抑制具１Ａの中心軸Ｏ１と同軸上に配置されている。本実施形態では、図３に示すように、周壁１０の中心軸Ｏ１の延在方向から視たとき、即ち、軸方向視で、遮蔽部２０の外縁２０ｅ１の形状は、円形形状である。本実施形態では、遮蔽部２０の外縁２０ｅ１の形状は、溢水抑制具１Ａの中心軸Ｏ１を中心とした半径Ｒ２ａの円である。また、開口部Ａ２は、溢水抑制具１Ａの中心軸Ｏ１を中心とした半径Ｒ２ｂの円である。
【００３１】
本実施形態に係る溢水抑制具１Ａでは、図５に示すように、遮蔽部２０は、溢水抑制具１Ａの中心軸Ｏ１に向かうに従って下部側に向かう湾曲形状部を有している。
【００３２】
本実施形態に係る溢水抑制具１Ａでは、図５に示すように、溢水抑制具１Ａの中心軸Ｏ１を含む平面を断面とし、当該断面の垂線方向から視たとき、即ち、軸直方向断面視で、遮蔽部２０は、環状部２０ａと、当該環状部２０ａの開口縁に繋がる筒状の湾曲形状部２０ｂと、湾曲形状部２０ｂの開口縁に繋がる筒状部２０ｃとを有している。
【００３３】
本実施形態に係る溢水抑制具１Ａでは、図５に示すように、軸直方向断面視で、遮蔽部２０の下部側遮蔽面２０ｆ１は、環状部２０ａの下部側遮蔽面２０ｆ１ａと、湾曲形状部２０ｂの下部側遮蔽面２０ｆ１ｂと、筒状部２０ｃの下部側（外周側）遮蔽面２０ｆ１ｃとで形成されている。本実施形態では、図５に示すように、軸直方向断面視で、環状部２０ａの下部側遮蔽面２０ｆ１ａの断面形状は、空気（排水）の流れ方向（本実施形態では、溢水抑制具１Ａの中心軸Ｏ１の延在方向）に対して直交する方向（径方向）に延びる直線である。また、本実施形態では、図５に示すように、軸直方向断面視で、湾曲形状部２０ｂの下部側遮蔽面２０ｆ１ｂの断面形状は、中心点Ｐ２０を中心とした半径Ｒ２０ａの曲線である。また、本実施形態では、図５に示すように、軸直方向断面視で、筒状部２０ｃの下部側遮蔽面２０ｆ１ｃの断面形状は、空気の流れ方向に延びる直線である。本実施形態では、中心点Ｐ２０は、図５に示すように、軸直方向断面視で、環状部２０ａの下部側遮蔽面２０ｆ１ａの（径方向）直線と筒状部２０ｃの下部側遮蔽面２０ｆ１ｃの（軸方向）直線とが互いに接線になるように円を描いたときの、当該円の中心点の位置としている。
【００３４】
また、本実施形態に係る溢水抑制具１Ａでは、図５に示すように、軸直方向断面視で、遮蔽部２０の上部側遮蔽面２０ｆ２は、環状部２０ａの上部側遮蔽面２０ｆ２ａと、湾曲形状部２０ｂの上部側遮蔽面２０ｆ２ｂと、筒状部２０ｃの上部側（内周側）遮蔽面２０ｆ２ｃとで形成されている。本実施形態では、図５に示すように、軸直方向断面視で、環状部２０ａの上部側遮蔽面２０ｆ２ａの断面形状は、空気の流れ方向に対して直交する方向に延びる直線である。また、本実施形態では、図５に示すように、軸直方向断面視で、湾曲形状部２０ｂの上部側遮蔽面２０ｆ２ｂの断面形状は、中心点Ｐ２０を中心とした半径Ｒ２０ｂの曲線である。また、本実施形態では、図５に示すように、軸直方向断面視で、筒状部２０ｃの上部側遮蔽面２０ｆ２ｃの断面形状は、空気の流れ方向に延びる直線である。なお、遮蔽部２０は、湾曲形状部２０ｂのみで構成することができる。
【００３５】
特に、本実施形態に係る溢水抑制具１Ａでは、遮蔽部２０は、環状凸部２０ｄを有している。本実施形態では、環状凸部２０ｄは、環状部２０ａから溢水抑制具１Ａの中心軸Ｏ１の周りに環状に起立している。本実施形態では、遮蔽部２０は、周壁１０の環状凹部１０ｎに、例えば、圧入させることにより、周壁１０に対して固定することができる。或いは、遮蔽部２０は、周壁１０の下部側端に対して固定することなく、周壁１０とトラップ１３０との間で挟持することができる。
【００３６】
加えて、図５に示すように、本実施形態に係る溢水抑制具１Ａでは、遮蔽部２０は、周壁１０の内部を、環状に遮蔽している、環状の遮蔽部である。本実施形態では、遮蔽部２０の内周側に形成された開口部Ａ２を、周壁１０の内部の上部側で間隔を置いて遮蔽している、中間遮蔽部（他の遮蔽部）３０と、を備えている。中間遮蔽部３０は、周壁１０の内部の、遮蔽部２０よりも上部に位置している。また、図７は、周壁１０の底面図である。また、図８は、周壁１０の平面図である。本実施形態に係る溢水抑制具１Ａは、図７及び図８に示すように、中間遮蔽部３０の周りに他の開口部Ａ３を形成するように、中間遮蔽部３０を周壁１１に固定する固定片３１と、を備えている。
【００３７】
本実施形態に係る溢水抑制具１Ａでは、中間遮蔽部３０は、複数の固定片３１を介して周壁１０と一体に形成されている。図７及び図８に示すように、本実施形態では、周壁１０は、固定片３１として、溢水抑制具１Ａの中心軸Ｏ１の周りに間隔を置いて配列された、４つの固定片３１を備えている。これにより、４つの固定片３１の相互間には、４つの開口部Ａ３が形成されている。本実施形態では、固定片３１は、周壁１０の小径部１０ｂの内周面の一部として形作られている。また、本実施形態では、中間遮蔽部３０の中心軸Ｏ３０も、溢水抑制具１Ａの中心軸Ｏ１と同軸上に配置されている。本実施形態では、図７及び図８に示すように、軸方向視で、中間遮蔽部３０の外縁３０ｅ１の形状は、円形形状である。図８に示すように、本実施形態では、中間遮蔽部３０の外縁３０ｅ１の形状は、溢水抑制具１Ａの中心軸Ｏ１を中心とした半径Ｒ３ａの円である。また、図７に示すように、中間遮蔽部３０の内縁３０ｅ２の形状は、溢水抑制具１Ａの中心軸Ｏ１を中心とした半径Ｒ３ｂの円である。
【００３８】
本実施形態に係る溢水抑制具１Ａでは、図５に示すように、中間遮蔽部３０は、溢水抑制具１Ａの中心軸Ｏ１に向かうに従って上部側に凸の湾曲形状部を有している。
【００３９】
図６は、周壁１０を、図２のＡ−Ａ断面相当で示す断面図である。本実施形態に係る溢水抑制具１Ａでは、中間遮蔽部３０は、図６に示すように、溢水抑制具１Ａの中心軸Ｏ１を含む平面を断面とし、当該断面の垂線方向から視たとき、即ち、軸直方向断面視で、ドーム状に形作られている。本実施形態では、中間遮蔽部３０は、下部側から上部側に延びる筒体部３０ａと、当該筒体部３０ａの上部側端面に繋がる湾曲形状部３０ｂとを有している。
【００４０】
本実施形態に係る溢水抑制具１Ａでは、図６に示すように、軸直方向断面視で、中間遮蔽部３０の下部側遮蔽面３０ｆ１は、筒体部３０ａの下部側（内周側）遮蔽面３０ｆ１ａと、湾曲形状部３０ｂの下部側遮蔽面３０ｆ１ｂとで形成されている。本実施形態では、筒体部３０ａは、固定片３１の上部側端面３１ｆから溢水抑制具１Ａの中心軸Ｏ１の延在方向に長さＬ３０だけ延びている。本実施形態では、図６に示すように、軸直方向断面視で、筒体部３０ａの下部側遮蔽面３０ｆ１ａの断面形状は、空気の流れ方向に延びる直線である。また、本実施形態では、図６に示すように、軸直方向断面視で、湾曲形状部３０ｂの下部側遮蔽面３０ｆ１ｂの断面形状は、中心点Ｐ３０を中心とした半径Ｒ３０ａの半円形の曲線である。本実施形態では、中心点Ｐ３０は、図６に示すように、軸直方向断面視で、固定片３１の上部側端面３１ｆから溢水抑制具１Ａの中心軸Ｏ１の延在方向に長さＬ３０だけ離れた位置であって、溢水抑制具１Ａの中心軸Ｏ１上の位置にある。即ち、本実施形態では、中心点Ｐ３０は、図６に示すように、軸直方向断面視で、溢水抑制具１Ａの中心軸Ｏ１上の筒体部３０ａと湾曲形状部３０ｂとの間の位置にある。
【００４１】
また、本実施形態に係る溢水抑制具１Ａでは、図６に示すように、軸直方向断面視で、中間遮蔽部３０の上部側遮蔽面３０ｆ２は、筒体部３０ａの上部側（外周側）遮蔽面３０ｆ２ａと、湾曲形状部３０ｂの上部側遮蔽面３０ｆ２ｂとで形成されている。本実施形態では、図６に示すように、軸直方向断面視で、筒体部３０ａの上部側遮蔽面３０ｆ２ａの断面形状は、空気の流れ方向に延びる直線である。また、本実施形態では、図６に示すように、軸直方向断面視で、湾曲形状部３０ｂの上部側遮蔽面３０ｆ２ｂの断面形状は、中心点Ｐ３０を中心とした半径Ｒ３０ｂの半円形の曲線である。なお、中間遮蔽部３０は、後述のように、湾曲形状部３０ｂのみで構成することができる。
【００４２】
更に、本実施形態に係る溢水抑制具１Ａでは、遮蔽部２０と、中間遮蔽部３０とを、下部側から上部側に向かって交互に、合計３つ以上繰り返し配列させていることができる。
【００４３】
本実施形態に係る溢水抑制具１Ａでは、図５に示すように、遮蔽部２０と、中間遮蔽部３０とが、下部側から上部側に向かって交互に、合計３つ繰り返し配列されている。本実施形態では、周壁１０の内部を、環状に遮蔽している、更なる遮蔽部４０を備えている。遮蔽部４０は、周壁１０の内部の、上部端部１２の側に位置している。遮蔽部４０は、周壁１０の内部を、上部端部１２の側で環状に遮蔽している。
【００４４】
本実施形態に係る溢水抑制具１Ａでは、遮蔽部４０は、周壁１０と別の部材として構成されている。本実施形態では、遮蔽部４０は、周壁１０の小径部１０ｂの内周面に固定されている。また、本実施形態では、遮蔽部４０の中心軸Ｏ４０も、通気弁接続具１Ａの中心軸Ｏ１と同軸上に配置されている。本実施形態では、図４に示すように、周壁１０の中心軸Ｏ１の延在方向から視たとき、即ち、軸方向視で、遮蔽部４０の外縁４０ｅ１の形状は、円形形状である。本実施形態では、遮蔽部４０の外縁４０ｅ１の形状は、溢水抑制具１Ａの中心軸Ｏ１を中心とした半径Ｒ４ａの円である。また、開口部Ａ４は、溢水抑制具１Ａの中心軸Ｏ１を中心とした半径Ｒ４ｂの円である。
【００４５】
本実施形態に係る溢水抑制具１Ａでは、図５に示すように、遮蔽部４０は、溢水抑制具１Ａの中心軸Ｏ１に向かうに従って下部側に向かう湾曲形状部を有している。
【００４６】
本実施形態に係る溢水抑制具１Ａでは、図５に示すように、軸直方向断面視で、遮蔽部４０は、環状部４０ａと、当該環状部４０ａの開口縁に繋がる筒状の湾曲形状部４０ｂと、湾曲形状部４０ｂの開口縁に繋がる筒状部４０ｃとを有している。
【００４７】
本実施形態に係る溢水抑制具１Ａでは、図５に示すように、軸直方向断面視で、遮蔽部４０の下部側遮蔽面４０ｆ１は、環状部４０ａの下部側遮蔽面４０ｆ１ａと、湾曲形状部４０ｂの下部側遮蔽面４０ｆ１ｂと、筒状部４０ｃの下部側（外周側）遮蔽面４０ｆ１ｃとで形成されている。本実施形態では、図５に示すように、軸直方向断面視で、環状部４０ａの下部側遮蔽面４０ｆ１ａの断面形状は、空気の流れ方向に対して直交する方向に延びる直線である。また、本実施形態では、図５に示すように、軸直方向断面視で、湾曲形状部４０ｂの下部側遮蔽面４０ｆ１ｂの断面形状は、中心点Ｐ４０を中心とした半径Ｒ４０ａの曲線である。また、本実施形態では、図５に示すように、軸直方向断面視で、筒状部４０ｃの下部側遮蔽面４０ｆ１ｃの断面形状は、空気の流れ方向に延びる直線である。本実施形態では、中心点Ｐ４０は、図５に示すように、軸直方向断面視で、環状部４０ａの下部側遮蔽面４０ｆ１ａの（径方向）直線と筒状部４０ｃの下部側遮蔽面４０ｆ１ｃの（軸方向）直線とが互いに接線になるように円を描いたときの、当該円の中心点の位置としている。
【００４８】
また、本実施形態に係る溢水抑制具１Ａでは、図５に示すように、軸直方向断面視で、遮蔽部４０の上部側遮蔽面４０ｆ２は、環状部４０ａの上部側遮蔽面４０ｆ２ａと、湾曲形状部４０ｂの上部側遮蔽面４０ｆ２ｂと、筒状部４０ｃの上部側（内周側）遮蔽面４０ｆ２ｃとで形成されている。本実施形態では、図５に示すように、軸直方向断面視で、環状部４０ａの上部側遮蔽面４０ｆａ２の断面形状は、空気の流れ方向に対して直交する方向に延びる直線である。また、本実施形態では、図５に示すように、軸直方向断面視で、湾曲形状部４０ｂの上部側遮蔽面４０ｆ２ｂの断面形状は、中心点Ｐ４０を中心とした半径Ｒ４０ｂの曲線である。また、本実施形態では、図５に示すように、軸直方向断面視で、筒状部４０ｃの上部側遮蔽面４０ｆ２ｃの断面形状は、空気の流れ方向に延びる直線である。なお、遮蔽部４０は、湾曲形状部４０ｂのみで構成することができる。
【００４９】
なお、本実施形態に係る溢水抑制具１Ａでは、遮蔽部４０は、環状凸部４０ｄを有している。本実施形態では、環状凸部４０ｄは、環状部４０ａから溢水抑制具１Ａの中心軸Ｏ１の周りに環状に起立している。また、本実施形態では、遮蔽部４０は、周壁１０の上部側端に対して固定することができる。或いは、遮蔽部４０は、周壁１０の上部側端に対して固定することなく、周壁１０と通気弁１４０との間で挟持することができる。なお、本実施形態では、遮蔽部４０は、遮蔽部２０と同一の部材である。この場合、部品の共通化を図ることができる。但し、遮蔽部４０は、遮蔽部２０と異なる部材とすることができる。
【００５０】
本実施形態に係る、溢水抑制具１Ａによれば、遮蔽部２０が周壁１０の内部を、当該周壁１０の周方向に沿って遮蔽していることから、多量の排水が排水管に流れることで、当該排水が溢水抑制具１Ａに入り込むようなときも、当該排水の上部側への流れ込みを抑制することができる。このため、本実施形態に係る、溢水抑制具１Ａによれば、トラップ１３０からの溢水を抑制することができる。また、本実施形態に係る、溢水抑制具１Ａによれば、遮蔽部２０の内周側に形成された開口部Ａ２がサイホン排水管２００内の空気等を逃がすことで、当該サイホン排水管２００内に生じ得る破封を抑制することができる。特に、本実施形態のように、遮蔽部２０が周壁１０の内部を、環状に遮蔽している、環状の遮蔽部の場合、当該遮蔽部２０が煙突のように機能することで、空気の出入りをし易くすることができる。また、遮蔽部２０が環状の遮蔽部である場合、例えば、本実施形態のように、遮蔽部２０を別体で構成するときに、当該遮蔽部２０を簡易に成形することができる。
【００５１】
更に、本実施形態に係る、溢水抑制具１Ａによれば、中間遮蔽部３０が周壁１１の内部の上部側で遮蔽部２０に対して間隔を置いて、当該遮蔽部２０の開口部Ａ２０を遮蔽していることから、多量の排水がサイホン排水管２００に流れることで、当該排水が遮蔽部２０に形成された開口部Ａ２を通して溢水抑制具１Ａに入り込むようなときも、当該排水の上部側への流れ込みを抑制することができる。この場合、トラップ１３０からの溢水を更に抑制することができる。また、本実施形態に係る、溢水抑制具１Ａによれば、中間遮蔽部３０の周りに形成された開口部Ａ３がサイホン排水管２００内の空気等を逃がすことで、当該サイホン排水管２００内に生じ得る破封を抑制することができる。なお、本実施形態のように、遮蔽部２０の開口部Ａ２の開口径（半径Ｒ２ｂ×２）は、中間遮蔽部３０の外縁３０ｅ１の外縁径（半径Ｒ３ａ×２）より小さいことが好ましい。この場合、トラップ１３０からの排水は上部へ流入し難くなる一方、当該トラップ１３０内の空気は流出させ易いという効果を得られる。
【００５２】
また、本実施形態に係る、溢水抑制具１Ａは、図３〜図５及び図７及び図８から明らかなように、溢水抑制具１Ａを中心軸Ｏ１の延在方向から視たとき、周壁１０の内部構造が中心軸Ｏ１を中心に対称な構造である。詳細には、溢水抑制具１Ａは、遮蔽部２０、中間遮蔽部３０及び遮蔽部４０、並びに、開口部Ａ２，Ａ３及びＡ４が中心軸Ｏ１を中心に対称な構造である。この場合、トラップ１３０と通気弁１４０との接続時の構造的な位置合わせが容易になることで、簡易な作業で接続可能な溢水抑制具となる。なお、本発明に係る溢水抑制具によれば、溢水抑制具１Ａを中心軸Ｏ１の延在方向から視たとき、周壁１０の内部構造が中心軸Ｏ１を中心に非対称とすることも可能である。ただし、溢水抑制具を取り付ける際の取付方向を考慮すると、対称であることが好ましい。
【００５３】
また、本実施形態に係る、溢水抑制具１Ａでは、遮蔽部２０は、溢水抑制具１Ａの中心軸Ｏ１に向かうに従って下部側に向かう湾曲形状部２０ｂを有している。この場合、トラップ１３０から溢れた排水を当該トラップ１３０に対して遮蔽部２０の湾曲形状部２０ｂの下部側遮蔽面２０ｆ１に沿って効率的に戻すことができるので、トラップ１３０からの溢水を更に抑制することができる。
【００５４】
加えて、本実施形態に係る、溢水抑制具１Ａでは、中間遮蔽部３０は、下流に向かうに従って上部側に凸の湾曲形状部３０ｂを有している。この場合、トラップ１３０から溢れた排水が遮蔽部２０に形成された開口部Ａ２を通して入り込むようなときも、トラップ１３０から溢れた排水を当該トラップ１３０に対して中間遮蔽部３０の湾曲形状部３０ｂの下部側遮蔽面３０ｆ１に沿って効率的に戻すことができるので、トラップ１３０からの溢水を更に抑制することができる。特に、本実施形態では、中間遮蔽部３０の上部側遮蔽面３０ｆ２は、筒体部３０ａの上部側遮蔽面３０ｆ２ａを有している。この場合、ディスポーザー１１１の振動等により発生し得る跳ね水が通気弁１４０の内部に侵入することを防止する効果が得られる。なお、本実施形態では、中間遮蔽部３０は、図６に示すように、軸直方向断面視で、ドーム状に形作られているが、傘型等の、円錐状又は角錐状の形状、立方体状の形状に形作ることもできる。
【００５５】
また、溢水抑制具１Ａは、遮蔽部２０と、中間遮蔽部３０とが、下部側から上部側に向かって交互に、合計で３つ以上繰り返し配列されている。本実施形態では、溢水抑制具１Ａは、遮蔽部２０と、中間遮蔽部３０と、遮蔽部４０とが、を下部側から上部側に向かって交互に、合計で３つ繰り返し配列されている。このような場合、遮蔽部の個数が増加することで、トラップ１３０からの溢水を更に抑制することができる。
【００５６】
また、本実施形態に係る溢水抑制具１Ａでは、遮蔽部２０及び４０は、周壁１０と異なる部材として構成されている。本実施形態では、周壁１０は、例えば、樹脂、金属、弾性体で形成することができる。また、本実施形態では、遮蔽部２０及び４０も、例えば、樹脂、金属、弾性体で形成することができる。本実施形態では、遮蔽部２０及び４０は、ゴム等の弾性体で形成している。この場合、遮蔽部２０及び４０は、パッキン（シール部材）として機能させることができる。
【００５７】
ところで、図１のサイホン排水システム１００は、トラップ１３０と、通気弁１４０と、トラップ１３０と、通気弁１４０との間に配置された筒状の周壁１０と、周壁１０の内部を、当該周壁の周方向に沿って遮蔽している、遮蔽部２０と、遮蔽部２０に形成された開口部Ａ２を、周壁１０の内部の上部側で間隔を置いて遮蔽している、他の遮蔽部３０と、他の遮蔽部３０の周りに他の開口部Ａ３を形成するように、当該他の遮蔽部３０を周壁１０に固定する固定片３１と、を備えている。図１のサイホン排水システム１００は、図示のように、排水管構造Ａを有している。領域Ａに示すように、本実施形態に係る、排水管構造Ａは、トラップ１３０と、通気弁１４０と、トラップ１３０及び通気弁１４０の間に配置された溢水抑制具１Ａとを備えている。溢水抑制具１Ａは、図５に示すように、トラップ１３０と通気弁１４０との間に配置された周壁１０を備えている。また、溢水抑制具１Ａは、周壁１０の内部を、当該周壁１０の周方向に沿って遮蔽している、遮蔽部２０と、遮蔽部２０の内周側に形成された開口部Ａ２を、周壁１１の内部の上部側で間隔を置いて遮蔽している中間遮蔽部３０と、当該中間遮蔽部３０の周りに他の開口部Ａ３を形成するように、中間遮蔽部３０を周壁１０に固定する固定片３１と、を備えている。従って、本実施形態に係る、排水管構造Ａによれば、トラップ１３０からの溢水が抑制された排水管構造となる。なお、本実施形態に係る排水管構造１Ａでは、トラップ１３０と、通気弁１４０との間に、溢水抑制具１Ａを配置することで、上記構成をアタッチメント式の排水管構造としているが、本発明に係る排水管構造によれば、トラップ１３０と、通気弁１４０との間に、筒状の周壁１０、遮蔽部２０、他の遮蔽部３０及び固定片３１を配置することができれば、これらを溢水抑制具１Ａとして組み付けることは必須ではない。
【００５８】
図９は、本発明の第２実施形態に係る溢水抑制具１Ｂを概略的に示す斜視側面図である。図１０は、溢水抑制具１Ｂを、図２のＡ−Ａ断面相当で概略的に示す斜視断面図である。以下、本実施形態に係る溢水抑制具１Ｂにおいて、第１実施形態に係る溢水抑制具１Ａと同一の構成は、同一の符号を使用することより、その説明を省略する。
【００５９】
本実施形態に係る溢水抑制具１Ｂは、周壁１０、遮蔽部２０、中間遮蔽部３０及び遮蔽部４０を一体に形成したものである。この場合、溢水抑制具１Ｂは、樹脂等の同一の材料によって一体的に形成することができる。
【００６０】
上述したところは、本発明のいくつかの実施形態について説明を行ったにすぎず、特許請求の範囲に従えば、様々な変更が可能となる。例えば、遮蔽部２０は、周壁１０の内部を、当該周壁１０の周方向に沿って遮蔽しているものであれば、当該周壁１０の内部を、当該周壁１０の周方向に沿って断続的に遮蔽しているものでもよい。即ち、遮蔽部２０は、環状の遮蔽部に限定されるものではない。また、遮蔽部２０は、周壁１０の内部における下部側であって、少なくとも、排水時の流れが導入され得る上流側の位置に遮蔽部があることが望ましい。こうした遮蔽部２０の具体例としては、周壁１０の軸方向視で、半円形状の遮蔽部が挙げられる。この場合、排水時の流れが導入され得る上流側を遮断部２０によって遮蔽する一方、その下流側では、当該遮断部２０と周壁１０の内周面との間に形成される隙間によって空気の流れが許容される。こうした環状ではない遮蔽部２０は、周壁１０の内部構造が非対称の場合に有効である。
【００６１】
上述の各実施形態では、溢水抑制具１Ａ，１Ｂは、既存の通気弁との汎用性から通気弁１４０と別体に構成したが、当該通気弁１４０と一体に形成することができる。また、本発明に係る溢水抑制具は、通気弁と排水管との間に配置することが好ましいが、通気口と排水管との間に配置することができる。更に、上述の各実施形態では、溢水抑制具１Ａ，１Ｂは、トラップ１３０の上に配置されているが、サイホン排水管２００内の空気を排出できる位置であれば、接続管１２０、トラップ１３０、直管１５０、横引き管１６０、竪管１７０のいずれかの任意の位置に配置することができる。更に、上述した各実施形態に採用された様々な構成は、互いに組み合わせて使用することができる。また、上述した各実施形態に採用された様々な構成は、相互に適宜、置き換えることができる。
【符号の説明】
【００６２】
１Ａ：溢水抑制具（第１実施形態），  １Ｂ：溢水抑制具（第２実施形態），  １０：周壁，  １１：下部端部，  １２：上部端部，  ２０：遮蔽部，  ２０ａ：環状部，  ２０ｂ：湾曲形状部，  ２０ｃ：筒状部，  ３０：中間遮蔽部（他の遮蔽部），  ３０ａ：筒体部，  ３０ｂ：湾曲形状部，  ３１：固定片，  ４０：遮蔽部，  ４０ａ：環状部，  ４０ｂ：湾曲形状部，  ４０ｃ：筒状部，  Ａ：排水管構造，  Ａ２：遮蔽部の開口部，  Ａ３：中間遮蔽部の周りの開口部（他の開口部），  Ａ４：遮蔽部の開口部，  １００：サイホン排水システム，  １１０：水回り機器，  １２０：接続管，  １３０：トラップ，  １３１：第１下降部，  １３２：第１折り返し部，  １３２ａ：貯留部，  １３３：上昇部，  １３４：第２折り返し部，  １３５：第２下降部，  １４０：通気弁，  １５０：直管，  １６０：横引き管，  １７０：竪管，  １８０：合流継手，  １９０：立て管，  ２００：サイホン排水管
【図１】
2020060016.tif 000003
【図２】
2020060016.tif 000004
【図３】
2020060016.tif 000005
【図４】
2020060016.tif 000006
【図５】
2020060016.tif 000007
【図６】
2020060016.tif 000008
【図７】
2020060016.tif 000009
【図８】
2020060016.tif 000010
【図９】
2020060016.tif 000011
【図１０】
2020060016.tif 000012